(57)【要約】【課題】風圧に応じた回転数を得ると共に、台風等の強風下でも停止することなく発電に必要な回転数が得られる発電用小型風車を提供する。【解決手段】略水平にして回動可能に支持された回転軸１の先端部に、突出部を形成した取付プレート２を取付け、該取付プレートの突出部に一端を支持して放射状に複数の羽根３，…を延出させた風車であって、前記複数の羽根３，…を蝶番式に回動可能に開閉するプレートを有する支持部材４，…の片方のプレート４ａに取付けると共に、別方のプレート４ｂは取付プレート２の面に立てて固定し、羽根３，…の反対側へプレート５を延出させて伸縮自在なバネ６，６，…で引張って取付プレート２に立設した調整ボルト７の頭部に当接させるようにして構成された発電用小型風車である。【選択図】図１
0003117948.tif 000002
【実用新案登録請求の範囲】
【請求項１】
略水平にして回動可能に支持された回転軸の先端部に、突出部を形成した取付プレートを取付け、該取付プレートの突出部に一端を支持して放射状に複数の羽根を延出させた風車であって、前記複数の羽根を傾き回動可能に支持して取付プレートに固定すると共に、羽根の反対側へプレートを延出させて伸縮自在なバネで引張って羽根調整可能に構成されてなることを特徴とする風力発電用小型風車。
【請求項２】
蝶番式に回動可能に開閉するプレートを有する支持部材の片方のプレートに羽根を取付けて支持すると共に、別方のプレートを取付プレート面に立てて固定した構成にしてなることを特徴とする請求項１記載の風力発電用小型風車。
【請求項３】
取付プレートに高さ調整可能な調整ボルトを立設し、該調整ボルトの頭部に羽根の反対側へ延出させたプレートを引張り、当接させて羽根調整可能な構成にしてなることを特徴とする請求項１又は請求項２記載の風力発電用小型風車。
【請求項４】
風圧の強さに応じて傾く羽根を一定の傾き角度で止めるような構成にしてなることを特徴とする請求項１乃至請求項３のいずれか１項に記載の風力発電用小型風車。
【考案の詳細な説明】
【技術分野】
【０００１】
本考案は、風の強さに応じて羽根の角度が変わり、台風等の強風下でも適度の回転が得られるようにした発電用小型風車に関するものである。
【背景技術】
【０００２】
電力会社等で設置される大型の発電用風車は、台風等の強風下では一定の風圧以上になると停止するようになっている。
又、風圧が設定値以内の時は、その風圧に合った羽根の角度で回転し、風圧が設置値を超えた時は、羽根の角度が風圧の方向に０度近くになるようにした風車による風車発電（例えば、特許文献１参照）や、風力の強さに応じて受風圧を低減してブレード（羽根）の破損を回避するようにした受風力可変風車（例えば、特許文献２参照）が開示され、周知されている。
【０００３】
【特許文献１】特開平１０−１１５２８１号公報
【特許文献２】登録実用新案第３００２３６１号公報
【考案の開示】
【考案が解決しようとする課題】
【０００４】
しかしながら、上記特許文献１、特許文献２に記載される技術は、受風圧を調整するバネが捩りバネで、角度軸やブレード軸に挿嵌された状態で使用されているため、すっきりした装着感は得られるが、バネの着脱が角度軸やブレード軸を取外して行わなければならず面倒であることや、羽根やブレードの初期調整が行えないこと、及び羽根やブレードの角度が台風等の強風の強さにより風圧の方向に０度近くになり、発電するのに必要な回転数が得られないおそれがあるなどの問題点（課題）がある。
【課題を解決するための手段】
【０００５】
本考案は、上記問題点（課題）に鑑みてなされたもので、その解決するための手段は、
略水平にして回動可能に支持された回転軸の先端部に、突出部を形成した取付プレートを取付け、該取付プレートの突出部に一端を支持して放射状に複数の羽根を延出させた風車であって、前記複数の羽根を傾き回動可能に支持して取付プレートに固定すると共に、羽根の反対側へプレートを延出させて伸縮自在なバネで引張って羽根調整可能に構成されてなることを特徴とする風力発電用小型風車である。
【０００６】
前記複数の羽根を回動可能に支持して取付プレートに固定する手段として、蝶番式に回動可能に開閉するプレートを有する支持部材の片方のプレートに羽根を取付けて支持すると共に、別方のプレートは取付プレート面に当てて固定した構成にしたことを特徴とする。
【０００７】
又、前記伸縮自在なバネで引張って羽根調整可能にする手段として、取付プレートに高さ調整可能な調整ボルトを立設し、該調整ボルトの頭部に羽根の反対側へ延出させたプレートを引張り、当接させた構成にしたことを特徴とし、台風等の強風下でも発電するのに必要な回転数を得るため、風圧の強さに応じて傾く羽根を一定の傾き角度で止める構成にしたことを特徴とする。
【考案の効果】
【０００８】
上記手段にて記載するように本考案は、放射状に延出させた複数の羽根を傾き回動可能に支持して取付プレートに固定すると共に、羽根の反対側へプレートを延出させて伸縮自在なバネで羽根調整ができるように構成されたものであり、羽根又は羽根軸に組み込まれていないから、バネの着脱が容易であると共に、バネの引張具合の調整がやりやすい。
【０００９】
羽根は、バネで引張られて調整ボルトにより羽根調整ができるようにしたから、羽根の初期調整ができると共に、風圧に応じて傾くので適度な回転が得られることや風の直撃が回避されて破損を防止することができる。
【００１０】
又、羽根は傾いても風圧の方向に０にならないように一定の傾き角度で止めるようにしたから、台風等の強風下でも停止することなく、発電に必要な回転を得ることができる。
【００１１】
更に、電力会社等で設置される大型の発電用風車のように、停止させるための制御が必要でないから製造コストやランニングコストが安価になり、家庭や小規模企業等で単独に利用するのに有利である。
【考案を実施するための最良の形態】
【００１２】
本考案を実施するための最良の形態は、略水平にして回動可能に支持された回転軸の先端部に、突出部を形成した取付プレートを取付け、該取付プレートの突出部に一端を支持して放射状に複数の羽根の延出させた風車であって、前記複数の羽根を蝶番式に回動可能に開閉するプレートを有する支持部材の片方のプレートに取付けて支持すると共に、別方のプレートは取付プレート面に立てて固定し、羽根の反対側へプレートを延出させて伸縮自在なバネで引張り、取付プレートに立設された調整ボルトの頭部に当接させるようにして構成された形態である。以下実施例にて図面に基づいて説明する。
【実施例１】
【００１３】
図１は、本考案の実施例を示す斜視図である。図示するように本考案は、略水平にして回動可能に支持された回転軸１の先端部に、突出部２ａ，…を形成した取付プレート２が取付けられて、該取付プレートの突出部２ａ，…に一端が支持されて放射状に複数（本実施例では三つ）の羽根３，…を延出させた風車にしてあり、羽根３，…は傾き回動可能な支持部材４，…に支持されて取付プレート２に固定されていて、羽根３，…の反対側へプレートと５，…を延出させて伸縮自在なバネ６，６，…で引張って取付プレート２に立設された調整ボルト７，…の頭部に当接するように構成されている。
【００１４】
前記羽根３は、軽くて強度のある例えば成形された繊維強化プラスチック（ＦＲＰ）を使用して製作されるのが望ましいが、これに限定するものではない。そして、図２に示すように一端を蝶番式に回動可能に開閉する支持部材４のプレート４ａ，４ｂの片方のプレート４ａに羽根３をボルト等で取付けて支持し、別方のプレート４ｂを取付プレート２の面に立てて溶接等で固定しており、羽根３を取付けたプレート４ａの反対側へはプレート５が延出されて、該プレート５の両端部と取付プレート２に穴を穿設して下方２箇所に設けた引掛プレート２ｂ，２ｂとの間にバネ６，６が張設されて引張るようにしてある。
【００１５】
又、前記取付プレート２に立設された調整ボルト７は、前記バネ６，６の間に立設されていて、ナット７ａを緩めて高さ調整することにより、調整ボルト７の頭部がプレート５を押し上げて各々の羽根２が風圧を等分に受けてバランス良く回転するように初期調整ができるようにしてある。
【００１６】
そして、羽根３が台風等の強風を前方（矢印方向）から受けると図４に示すように羽根３は傾き、その傾きに応じて垂直方向からの風圧が回避されて、羽根の傾きに応じた回転数が得られ、風圧が更に増し羽根３が風圧の方向に０度近くになると発電に必要な回転が得られなくなることから、羽根３を一定の傾き角度で止めるようにしてあり、例えば、取付プレート２に立てて取付けられた支持部材４のプレート４ｂに、図４にて図示するようにストッパーボルト８を立てて止めるとか、或いは取付プレート２の端部に当てて止める手段を講ずると良い。
【００１７】
図５は、以上のようにしてなる本考案を用いて発電する場合の一発電例を示す側断面図である。前方（矢印）の方向から複数の羽根３，…に風圧がかかると、該羽根を支持部材４，…を介して支持された取付プレート２が回転し、該取付プレートの回転により、介在させて取付けられた円板９により回転軸１が回転すると共に、円筒状の外筒１０が回転し、外筒１０の内径壁に設けられたマグネット１１と、芯軸１２に取付けて固定された発電コイル１３とで発電するようにしてある。或いは市販の発電機の回転軸（図示せず）に連結して発電するようにしても良い。
【図面の簡単な説明】
【００１８】
【図１】本考案の実施例を示す斜視図である。
【図２】バネで引張る羽根の構成を示す要部断面図である。
【図３】バネで引張って調整ボルトの頭部に当接させた状態の要部断面図である。
【図４】台風等の強風により羽根が傾いた状態の要部断面図である。
【図５】本考案による一発電例に示す側断面図である。
【符号の説明】
【００１９】
１  回転軸
２  取付プレート
２ａ  突出部
２ｂ  引掛プレート
３  羽根
４  支持部材
４ａ，４ｂ，５  プレート
６  バネ
７  調整ボルト
７ａ  ナット
８  ストッパーボルト
９  円板
１０  外筒
１１  マグネット
１２  芯軸
１３  発電コイル
【図１】
0003117948.tif 000003
【図２】
0003117948.tif 000004
【図３】
0003117948.tif 000005
【図４】
0003117948.tif 000006
【図５】
0003117948.tif 000007